(57)【要約】【課題】リッドの閉じられたスペースを有効利用することのできるカップホルダを提供すること。【解決手段】凹状のホルダ部１０と、ホルダ部１０の周囲に取り付くベゼル２０と、ホルダ部１０を開け閉め可能なリッド３０と、を有するカップホルダ１である。リッド３０が、ホルダ部１０を外部に対して開放する開位置と、ホルダ部１０を外部に対して閉鎖する閉位置Ｐ２と、の間を移動可能とされ、閉位置Ｐ２では、その周囲を取り囲むベゼル２０よりも低い位置に配置されてベゼル２０との間で凹状のトレー面を成す。【選択図】図１
2020199947.tif 000002
【特許請求の範囲】
【請求項１】
凹状のホルダ部と、該ホルダ部の周囲に取り付くベゼルと、前記ホルダ部を開け閉め可能なリッドと、を有するカップホルダであって、
前記リッドが、前記ホルダ部を外部に対して開放する開位置と、前記ホルダ部を外部に対して閉鎖する閉位置と、の間を移動可能とされ、前記閉位置では、その周囲を取り囲む前記ベゼルよりも低い位置に配置されて前記ベゼルとの間で凹状のトレー面を成すカップホルダ。
【請求項２】
請求項１に記載のカップホルダであって、
前記リッドが、上向きに開かれる観音開き式の２枚の回転板から成り、２枚の前記回転板は、互いに面一状に並んで前記ホルダ部を閉じる状態を前記閉位置とする構成とされ、かつ、互いの隣り合う少なくとも一方の縁部に相手側の縁部との間を空ける上向き開口形状の第１開口部を有するカップホルダ。
【請求項３】
請求項２に記載のカップホルダであって、
２枚の前記回転板のうちのいずれかが、前記第１開口部の底面を成す底板部を有するカップホルダ。
【請求項４】
請求項２又は請求項３に記載のカップホルダであって、
２枚の前記回転板のうちの少なくともいずれかは、前記ベゼルの枠内で立板状に開かれた状態を前記開位置とする構成とされ、かつ、前記ベゼルとの間に板状の部材を上方から差し込んで立て掛けることの可能な第２開口部を有するカップホルダ。
【請求項５】
請求項４に記載のカップホルダであって、
前記第２開口部の前記ベゼルの内周面と繋がる底面が、前記第２開口部を形成する前記回転板の回転中心の周りに湾曲した凹湾曲面形状とされるカップホルダ。
【発明の詳細な説明】
【技術分野】
【０００１】
本発明は、カップホルダに関する。詳しくは、凹状のホルダ部と、ホルダ部の周囲に取り付くベゼルと、ホルダ部を開け閉め可能なリッドと、を有するカップホルダに関する。
【背景技術】
【０００２】
特許文献１には、自動車のアームレストに開閉式のリッドの付いたカップホルダが設けられた構成が開示されている。上記カップホルダは、リッドを開けることで凹状のホルダ部が外部に露出し、リッドを閉じることでホルダ部が周囲の一般面と面一状にカバーされる構成とされる。
【先行技術文献】
【特許文献】
【０００３】
【特許文献１】特開平１０−２９７３３８号公報
【発明の概要】
【発明が解決しようとする課題】
【０００４】
上記従来技術では、リッドの閉じられたスペースが有効利用されていない。そこで、本発明は、リッドの閉じられたスペースを有効利用することのできるカップホルダを提供する。
【課題を解決するための手段】
【０００５】
上記課題を解決するために、本発明のカップホルダは次の手段をとる。
【０００６】
すなわち、本発明のカップホルダは、凹状のホルダ部と、ホルダ部の周囲に取り付くベゼルと、ホルダ部を開け閉め可能なリッドと、を有するカップホルダである。リッドが、ホルダ部を外部に対して開放する開位置と、ホルダ部を外部に対して閉鎖する閉位置と、の間を移動可能とされ、閉位置では、その周囲を取り囲むベゼルよりも低い位置に配置されてベゼルとの間で凹状のトレー面を成す。
【０００７】
上記構成によれば、リッドが閉じられた際、リッドと周囲のベゼルとによって凹状のトレー面を形成することができる。それにより、リッドの閉じられたスペースを有効利用することができる。
【０００８】
また、本発明のカップホルダは、更に次のように構成されていても良い。リッドが、上向きに開かれる観音開き式の２枚の回転板から成る。２枚の回転板は、互いに面一状に並んでホルダ部を閉じる状態を閉位置とする構成とされ、かつ、互いの隣り合う少なくとも一方の縁部に相手側の縁部との間を空ける上向き開口形状の第１開口部を有する。
【０００９】
上記構成によれば、リッドが閉じられた際、２枚の回転板の間に形成される第１開口部を、上方から物を差し込んだり開け閉め操作時に指を差し込むための差込口として有効利用することができる。
【００１０】
また、本発明のカップホルダは、更に次のように構成されていても良い。２枚の回転板のうちのいずれかが、第１開口部の底面を成す底板部を有する。
【００１１】
上記構成によれば、第１開口部にスマートフォン等の板状の部材を比較的浅く差し込んで立て掛けることができる。
【００１２】
また、本発明のカップホルダは、更に次のように構成されていても良い。２枚の回転板のうちの少なくともいずれかは、ベゼルの枠内で立板状に開かれた状態を開位置とする構成とされ、かつ、ベゼルとの間に板状の部材を上方から差し込んで立て掛けることの可能な第２開口部を有する。
【００１３】
上記構成によれば、２枚の回転板のうちの少なくともいずれかを開いた時のベゼルとの間のスペースを、板状の部材を上方から差し込んで立て掛けることの可能な第２開口部として更に有効に利用することができる。
【００１４】
また、本発明のカップホルダは、更に次のように構成されていても良い。第２開口部のベゼルの内周面と繋がる底面が、第２開口部を形成する回転板の回転中心の周りに湾曲した凹湾曲面形状とされる。
【００１５】
上記構成によれば、第２開口部に板状の部材を差し込んだ状態から、回転板を閉じることで、板状の部材を凹湾曲面状の底面に沿って滑らせながら回転板上へと倒し込むことができる。したがって、第２開口部に板状の部材を差し込んだ状態からであっても、回転板をつかえさせることなくスムーズに閉じることが可能となる。
【図面の簡単な説明】
【００１６】
【図１】第１の実施形態に係るカップホルダの概略構成を表した斜視図である。
【図２】トレー上に電子端末を差し込んで立て掛けた状態を表した斜視図である。
【図３】ホルダ部を開放した状態を表した斜視図である。
【図４】開いたリッドとベゼルとの間の開口部に電子端末を立て掛けた状態を表した斜視図である。
【図５】リッドの開閉構造を拡大して表した斜視図である。
【図６】図５を反対側から見た斜視図である。
【図７】リッドを開いた状態を表した斜視図である。
【図８】図７を反対側から見た斜視図である。
【図９】図２のＩＸ−ＩＸ線断面図である。
【図１０】図４のＸ−Ｘ線断面図である。
【図１１】図１０のＸＩ部拡大図である。
【図１２】図１１からリッドが電子端末と共に閉位置へと倒される動作を表した断面図である。
【発明を実施するための形態】
【００１７】
以下に、本発明を実施するための形態について、図面を用いて説明する。
【００１８】
《第１の実施形態》
（カップホルダ１の概略構成について）
始めに、本発明の第１の実施形態に係るカップホルダ１の構成について、図１〜図１２を用いて説明する。なお、以下の説明において、前後上下左右等の各方向を示す場合には、各図中に示されたそれぞれの方向を指すものとする。
【００１９】
図１〜図４に示すように、本実施形態に係るカップホルダ１は、自動車のリヤシートのセンタアームレスト１００に適用されている。上記センタアームレスト１００は、上記リヤシートのシートバックの中央席部分から前倒しされて水平展開される構成とされる。上記カップホルダ１は、上記センタアームレスト１００の水平展開されて上向きとなる天板面部の先端側部分に設けられている。
【００２０】
具体的には、カップホルダ１は、図３〜図４に示すように、左右一対の受入口１１を備えたホルダ部１０と、ホルダ部１０の周囲に取り付くベゼル２０と、ホルダ部１０を開け閉め可能なリッド３０と、を有する。これらホルダ部１０、ベゼル２０、及びリッド３０は、それぞれ、インジェクション成形された樹脂部品により構成されている。上記リッド３０は、手動操作により、ホルダ部１０を外部に対して開放する開位置Ｐ１（図３〜図４参照）と、ホルダ部１０を外部に対して閉鎖する閉位置Ｐ２（図１〜図２参照）と、に切り換え可能とされる。
【００２１】
上記リッド３０は、図１〜図２に示す閉位置Ｐ２では、その周囲を取り囲むベゼル２０よりも低い位置でホルダ部１０を閉鎖する構成とされる（図９参照）。それにより、リッド３０は、上記閉位置Ｐ２では、その周囲を取り囲むベゼル２０との間で凹状のトレー面を形成する構成とされる。したがって、図１に示すように、上記トレー面を成すリッド３０上に、スマートフォンやタブレット端末等の電子端末Ｍを置いたり、他の様々な小物を置いたりすることができる。
【００２２】
また、図２に示すように、上記リッド３０は、上記閉位置Ｐ２では、リッド３０を構成する２枚の回転板３１，３２の間に、上記タブレット端末等の板状の電子端末Ｍを上方から差し込むことのできる第１開口部Ｓ１が形成される構成とされる。したがって、上記リッド３０に形成された第１開口部Ｓ１内に、上記電子端末Ｍ等の板状の部材を上方から差し込んで立て掛けることもできる。
【００２３】
上記リッド３０は、図３〜図４に示す開位置Ｐ１では、上記２枚の回転板３１，３２が互いに上向きに観音開き状に開かれてホルダ部１０を開放する構成とされる。したがって、図３に示すように、上記リッド３０が開かれたホルダ部１０の各受入口１１にペットボトル等の飲物容器Ｃを上方から差し込むことで、同飲物容器Ｃを各受入口１１内に差し込んだ状態に保持することができる。
【００２４】
また、図４に示すように、上記リッド３０は、上記開位置Ｐ１では、起立状に開かれた各回転板３１，３２とこれらを取り囲むベゼル２０の前後側の各内周面との間に、上記タブレット端末等の板状の電子端末Ｍを上方から差し込むことのできる第２開口部Ｓ２が形成される構成とされる。したがって、上記前後２箇所に形成された各第２開口部Ｓ２内に、電子端末Ｍ等の板状の部材を上方から差し込んで立て掛けることもできる。ここで、上記電子端末Ｍが、本発明の「板状の部材」に相当する。
【００２５】
（カップホルダ１の各部の構成について）
以下、上記カップホルダ１の各部の具体的な構成について詳しく説明する。
【００２６】
（ホルダ部１０の構成について）
図３に示すように、ホルダ部１０は、左右方向に長尺な略板形状の部材から成る。詳しくは、上記ホルダ部１０は、その左右２箇所に、下方へ略円筒状に延びる形に貫通した受入口１１が形成された構成とされる。また、上記ホルダ部１０は、その左右の受入口１１間を仕切る中央の壁部に、両受入口１１間を並び方向に連通させる上向き開口形状の連通口１２が形成された構成とされる。
【００２７】
（ベゼル２０の構成について）
ベゼル２０は、図３〜図４及び図１０に示すように、上向きに開口する略容器形状の部材から成る。詳しくは、上記ベゼル２０は、その容器内にセットされたホルダ部１０の各受入口１１を底側から覆う底板部２１と、底板部２１の周縁部から立ち上がってホルダ部１０の周囲に取り付く周囲側板部２２と、周囲側板部２２の立ち上がった先の縁部から外周側へフランジ状に張り出すフランジ部２３と、を有する形状とされる。
【００２８】
上記ベゼル２０は、後述するリッド３０の各回転板３１，３２が閉位置Ｐ２にある状態では、その周囲側板部２２が各回転板３１，３２よりも高い位置まで延び出す形状とされる。上記ベゼル２０は、前出のセンタアームレスト１００内に埋め込まれた状態にセットされている。詳しくは、上記ベゼル２０は、そのフランジ部２３がセンタアームレスト１００の天板面部と面一状を成す位置までセンタアームレスト１００内に埋め込まれた状態にセットされている。
【００２９】
（リッド３０の構成について）
リッド３０は、図５〜図８に示すように、ベゼル２０の容器内に取り付けられた前後２枚の回転板３１，３２と、これら２枚の回転板３１，３２の回転を連動させるリンク機構３３と、を有する。各回転板３１，３２は、それぞれ、左右方向に延びる回転軸３１Ａ，３２Ａにより、ベゼル２０の左右の周囲側板部２２に回転可能なように連結されている。
【００３０】
各回転軸３１Ａ，３２Ａは、それぞれ、各回転板３１，３２と一体に結合され、各回転板３１，３２と一体的となってベゼル２０に対して回転する構成とされる。上記連結により、各回転板３１，３２は、図５に示すように、互いに面一状を成してホルダ部１０を閉鎖する閉位置Ｐ２と、図７に示すように互いに上向きに観音開き状に開かれてホルダ部１０を開放する開位置Ｐ１と、の間で回転することのできる構成とされる。
【００３１】
詳しくは、図５に示すように、前側の回転板３１の回転軸３１Ａは、同回転板３１の閉位置Ｐ２における前後方向の中央部と前端部との間の天板下側の領域に回転中心を備えた構成とされる。上記構成により、前側の回転板３１は、図５に示す閉位置Ｐ２から図７に示す起立状の開位置Ｐ１へと開かれることにより、ベゼル２０の前側の周囲側板部２２との間に前出の第２開口部Ｓ２を形成した状態となる。
【００３２】
また、後側の回転板３２の回転軸３２Ａは、同回転板３２の閉位置Ｐ２における前後方向の中央部と後端部との間の天板下側の領域に回転中心を備えた構成とされる。上記構成により、後側の回転板３２も、図５に示す閉位置Ｐ２から図７に示す起立状の開位置Ｐ１へと開かれることにより、ベゼル２０の後側の周囲側板部２２との間に第２開口部Ｓ２を形成した状態となる。
【００３３】
したがって、図４及び図１０に示すように、上記形成された各第２開口部Ｓ２に上方から電子端末Ｍ等の板状の部材を差し込んで立て掛けることができる。各第２開口部Ｓ２内に差し込まれた電子端末Ｍ等の板状の部材は、ベゼル２０の底板部２１上の前側の周囲側板部２２或いは後側の周囲側板部２２との角面である各底角面２１Ａ上に底付いて係止される。ここで、上記各底角面２１Ａが、それぞれ、本発明の「底面」に相当する。
【００３４】
図１０に示すように、上記電子端末Ｍ等の板状の部材が底付く前側の第２開口部Ｓ２の底面を成す底角面２１Ａは、底板部２１と前側の周囲側板部２２との間を、前側の回転板３１の回転軸３１Ａの中心周りに湾曲した凹湾曲面形状で繋ぐ形状とされる。また、後側の第２開口部Ｓ２の底面を成す底角面２１Ａも、底板部２１と後側の周囲側板部２２との間を、後側の回転板３２の回転軸３２Ａの中心周りに湾曲した凹湾曲面形状で繋ぐ形状とされる。ここで、図１１には、後側の底角面２１Ａに電子端末Ｍ等の板状の部材が底付いた状態が拡大して示されている。
【００３５】
上記構成により、電子端末Ｍ等の板状の部材は、例えば後側の第２開口部Ｓ２内に差し込まれた状態から、後側の回転板３２が閉じられるように操作されたとしても、次のように第２開口部Ｓ２からスムーズに上方へと抜け出せるようになっている。すなわち、図１２に示すように、上記電子端末Ｍ等の板状の部材が第２開口部Ｓ２内に差し込まれた状態から、後側の回転板３２が回転軸３２Ａを中心に閉じられる方向に回されると、この後側の回転板３２の下端部により電子端末Ｍ等の板状の部材の下端部が後方へと押される。
【００３６】
それにより、電子端末Ｍ等の板状の部材は、その上端部が後側の回転板３２に凭れ掛かるように倒れ込みながら、下端部が底角面２１Ａ上を斜めに上っていくように摺動する。同摺動により、電子端末Ｍ等の板状の部材は、その下端部が第２開口部Ｓ２から抜け出ると共に、全体が閉じられた後側の回転板３２の上部に倒れ込んだ状態となる。なお、図示は省略されているが、前側の回転板３１（図１０参照）が閉じられる際も同様である。
【００３７】
したがって、各第２開口部Ｓ２内に電子端末Ｍ等の板状の部材が差し込まれた状態から、各回転板３１，３２が閉じられる方向に操作されても、各回転板３１，３２が電子端末Ｍ等の板状の部材を挟んでベゼル２０の前後の周囲側板部２２につっかえることがないため、各回転板３１，３２をスムーズに閉じることができる。
【００３８】
図５に示すように、前側の回転板３１の後側の縁部には、その中央部に、左右方向に長尺な形に肉抜きされた肉抜き部３１Ｂが形成されている。上記肉抜き部３１Ｂにより、各回転板３１，３２が閉位置Ｐ２に閉じられた際には、これらの間に高さ方向に貫通する前出の第１開口部Ｓ１が形成されるようになっている。ここで、上記肉抜き部３１Ｂの形成された前側の回転板３１が、本発明の「２枚の回転板のうちのいずれか」に相当する。
【００３９】
図７に示すように、各回転板３１，３２の裏面部には、略垂直状に張り出す板状の張出板部３１Ｃ，３２Ｂが形成されている。これら張出板部３１Ｃ，３２Ｂは、各回転板３１，３２が開位置Ｐ１に開かれた際には、各回転板３１，３２の間の領域を狭めるように張り出して、ホルダ部１０より高い位置で飲物容器Ｃを前後側から支える補助的な支持部として機能する構成とされる（図３参照）。これら張出板部３１Ｃ，３２Ｂは、それらの張り出した先のホルダ面３１Ｃ１，３２Ｂ１が、ホルダ部１０の各受入口１１の周面形状に倣って凹湾曲面状に湾曲した形状とされている。
【００４０】
また、後側の回転板３２には、更に、その張出板部３２Ｂの図示下側となる左右２箇所の位置に、張出板部３２Ｂよりも前方に長く張り出して、ひとまわり小さな飲物容器Ｃを支えられるようにする折畳み式のサブホルダ片３２Ｃが取り付けられている。これらサブホルダ片３２Ｃは、それらの基端部が左右方向に延びる回転軸３２Ｃ１（図９〜図１０参照）により後側の回転板３２に回転可能なように連結されている。各サブホルダ片３２Ｃは、後側の回転板３２との間に掛着された不図示のばねにより、常時は張出板部３２Ｂと平行に張り出した形に保持される。
【００４１】
しかし、各サブホルダ片３２Ｃは、前側の張出板部３１Ｃとの間の寸法よりも大きな飲物容器Ｃ（図示省略）がホルダ部１０の各受入口１１内に差し込まれた場合には、その差し込みを阻害しないよう、ばね付勢力に抗して下方へと折り畳まれるようになっている。前側の回転板３１の張出板部３１Ｃには、更に、その左右方向の中央部に、Ｌ字板状に折れ曲がる底板部３１Ｄが形成されている。
【００４２】
上記底板部３１Ｄは、図２に示すように、各回転板３１，３２が閉位置Ｐ２に閉じられた際に、第２開口部Ｓ２の直下に庇状に張り出して、第２開口部Ｓ２内に差し込まれた電子端末Ｍ等の板状の部材の差し込み位置を規制するものとなっている。上記底板部３１Ｄによる差込位置の規制により、板状の部材が深く差し込まれ過ぎることを防止することができる。したがって、板状の部材が例えばスマートフォン等の電子端末Ｍである場合に、その表示画面を外部から視認できる程度に第２開口部Ｓ２内に差し込んだ状態として立て掛けることができる。
【００４３】
図５に示すように、上記各回転板３１，３２とベゼル２０との間には、それぞれ、各回転板３１，３２に回転付勢力を作用させるトーションばね３１Ｅ，３２Ｅが掛着されている。各トーションばね３１Ｅ，３２Ｅは、それぞれ、ベゼル２０に組み付けられる側の一端が固定端３１Ｅ１，３２Ｅ２として、それぞれ、ベゼル２０の左側の周囲側板部２２における各回転軸３１Ａ，３２Ａより低い位置に固定されている。また、各トーションばね３１Ｅ，３２Ｅは、それらの各回転板３１，３２に組み付けられる側の他端が可動端３１Ｅ２，３２Ｅ２として、それぞれ、各回転板３１，３２の回転軸３１Ａ，３２Ａから半径方向に離れた位置に固定されている。
【００４４】
詳しくは、前側の回転板３１とベゼル２０との間に掛着されるトーションばね３１Ｅは、その回転板３１に固定される可動端３１Ｅ２が、次のような位置に設定されている。すなわち、図５に示すように、上記可動端３１Ｅ２は、回転板３１の閉位置Ｐ２においては、同回転板３１の回転軸３１Ａと固定端３１Ｅ１とを結ぶ線分よりも前側に位置される。しかし、上記可動端３１Ｅ２は、図７に示すように、回転板３１が開位置Ｐ１へと回されることで、同回転板３１の回転軸３１Ａと固定端３１Ｅ１とを結ぶ線分よりも後側に位置される。そのような位置に可動端３１Ｅ２は設定されている。
【００４５】
上記構成により、前側の回転板３１とベゼル２０との間に掛着されたトーションばね３１Ｅは、同回転板３１が閉位置Ｐ２（図５参照）に近い回転領域にある時には、同回転板３１を回転軸３１Ａの周りに閉じる方向（図示時計回り方向）に回転付勢する。また、上記トーションばね３１Ｅは、前側の回転板３１が開位置Ｐ１（図７参照）に近い回転領域にある時には、同回転板３１を回転軸３１Ａの周りに開く方向（図示反時計回り方向）に回転付勢する。すなわち、上記トーションばね３１Ｅは、上記可動端３１Ｅ２が、上記回転軸３１Ａと固定端３１Ｅ１とを結ぶ線分を越える位置で前側の回転板３１に対する回転付勢方向を切り替える構成とされる。
【００４６】
また、後側の回転板３２とベゼル２０との間に掛着されるトーションばね３２Ｅも同様に、その回転板３２に固定される可動端３２Ｅ２が、次のような位置に設定されている。すなわち、図５に示すように、上記可動端３２Ｅ２は、回転板３２の閉位置Ｐ２においては、同回転板３２の回転軸３２Ａと固定端３２Ｅ１とを結ぶ線分よりも後側に位置される。しかし、上記可動端３２Ｅ２は、図７に示すように、回転板３２が開位置Ｐ１へと回されることで、同回転板３２の回転軸３２Ａと固定端３２Ｅ１とを結ぶ線分よりも前側に位置される。そのような位置に可動端３２Ｅ２は設定されている。
【００４７】
上記構成により、後側の回転板３２とベゼル２０との間に掛着されたトーションばね３２Ｅは、同回転板３２が閉位置Ｐ２（図５参照）に近い回転領域にある時には、同回転板３２を回転軸３２Ａの周りに閉じる方向（図示反時計回り方向）に回転付勢する。また、上記トーションばね３２Ｅは、後側の回転板３２が開位置Ｐ１（図７参照）に近い回転領域にある時には、同回転板３２を回転軸３２Ａの周りに開く方向（図示時計回り方向）に回転付勢する。すなわち、上記トーションばね３２Ｅは、上記可動端３２Ｅ２が、上記回転軸３２Ａと固定端３２Ｅ１とを結ぶ線分を越える位置で後側の回転板３２に対する回転付勢方向を切り替える構成とされる。
【００４８】
図６に示すように、リンク機構３３は、ベゼル２０の右側の周囲側板部２２の右側領域に設けられている。具体的には、リンク機構３３は、前側の回転板３１の回転軸３１Ａの右側の端部に一体的に連結された短リンク３３Ａと、後側の回転板３２の回転軸３２Ａの右側の端部に一体的に連結された短リンク３３Ｂと、これら短リンク３３Ａ，３３Ｂの間にリンク連結された長リンク３３Ｃと、から成る。長リンク３３Ｃは、その前後側の各端部が、各側の短リンク３３Ａ，３３Ｂの先端にそれぞれ回転軸３３Ｃ１，３３Ｃ２により回転可能なようにピン接合された構成とされる。
【００４９】
上記リンク機構３３は、各回転板３１，３２が閉位置Ｐ２に閉じられた際には、前側の短リンク３３Ａが前側の回転軸３１Ａから略垂下する方向に延びる姿勢とされる。そして、後側の短リンク３３Ｂと長リンク３３Ｃとが、僅かに逆Ｖ字状に折れ曲がった形を成して、前後方向に略真っ直ぐに延びる姿勢を成す。上記リンク機構３３は、上記各回転板３１，３２のうちの一方が上記閉位置Ｐ２から図８に示すように開位置Ｐ１へと開かれることにより、次のように動作する。
【００５０】
すなわち、リンク機構３３は、例えば、前側の回転板３１が開かれる方向に操作された場合には、同回転板３１と一体的に動く前側の短リンク３３Ａが、長リンク３３Ｃを介して、後側の短リンク３３Ｂを後側の回転軸３２Ａの周りに後側へ起こし上げる形に押し回す。これにより、後側の回転板３２が前側の回転板３１と連動して開位置Ｐ１へと同時に開かれる。また、リンク機構３３は、上記構成により、後側の回転板３２が開かれる方向に操作された場合にも、両短リンク３３Ａ，３３Ｂ及び長リンク３３Ｃを介して前側の回転板３１を連動させて同時に開かせるようになっている。
【００５１】
また、リンク機構３３は、上記構成により、前側の回転板３１が開位置Ｐ１に開かれた状態から図６に示すように閉位置Ｐ２へと閉じられる方向に操作された場合にも、両短リンク３３Ａ，３３Ｂ及び長リンク３３Ｃを介して後側の回転板３２を連動させて同時に閉じさせるようになっている。また、リンク機構３３は、後側の回転板３２が閉位置Ｐ２へと閉じられる方向に操作された場合にも、両短リンク３３Ａ，３３Ｂ及び長リンク３３Ｃを介して前側の回転板３１を連動させて同時に閉じさせるようになっている。
【００５２】
上記リッド３０は、各回転板３１，３２の間に第１開口部Ｓ１が形成された構成となっている。したがって、使用者が第１開口部Ｓ１に指を掛け入れて、どちらかの回転板３１，３２を引き上げるように操作することで、、各回転板３１，３２を開く操作を簡便に行うことができる。
【００５３】
（まとめ）
以上をまとめると、本実施形態に係るカップホルダ１は、次のような構成となっている。すなわち、凹状のホルダ部（１０）と、ホルダ部（１０）の周囲に取り付くベゼル（２０）と、ホルダ部（１０）を開け閉め可能なリッド（３０）と、を有するカップホルダ（１）である。リッド（３０）が、ホルダ部（１０）を外部に対して開放する開位置（Ｐ１）と、ホルダ部（１０）を外部に対して閉鎖する閉位置（Ｐ２）と、の間を移動可能とされ、閉位置（Ｐ２）では、その周囲を取り囲むベゼル（２０）よりも低い位置に配置されてベゼル（２０）との間で凹状のトレー面を成す。
【００５４】
上記構成によれば、リッド（３０）が閉じられた際、リッド（３０）と周囲のベゼル（２０）とによって凹状のトレー面を形成することができる。それにより、リッド（３０）の閉じられたスペースを有効利用することができる。
【００５５】
また、リッド（３０）が、上向きに開かれる観音開き式の２枚の回転板（３１，３２）から成る。２枚の回転板（３１，３２）は、互いに面一状に並んでホルダ部（１０）を閉じる状態を閉位置（Ｐ２）とする構成とされ、かつ、互いの隣り合う少なくとも一方の縁部に相手側の縁部との間を空ける上向き開口形状の第１開口部（Ｓ１）を有する。
【００５６】
上記構成によれば、リッド（３０）が閉じられた際、２枚の回転板（３１，３２）の間に形成される第１開口部（Ｓ１）を、上方から物を差し込んだり開け閉め操作時に指を差し込むための差込口として有効利用することができる。
【００５７】
また、２枚の回転板（３１，３２）のうちのいずれかが、第１開口部（Ｓ１）の底面を成す底板部（３１Ｄ）を有する。
【００５８】
上記構成によれば、第１開口部（Ｓ１）にスマートフォン等の板状の部材（Ｍ）を比較的浅く差し込んで立て掛けることができる。
【００５９】
また、２枚の回転板（３１，３２）のうちの少なくともいずれかは、ベゼル（２０）の枠内で立板状に開かれた状態を開位置（Ｐ１）とする構成とされ、かつ、ベゼル（２０）との間に板状の部材（Ｍ）を上方から差し込んで立て掛けることの可能な第２開口部（Ｓ２）を有する。
【００６０】
上記構成によれば、２枚の回転板（３１，３２）のうちの少なくともいずれかを開いた時のベゼル（２０）との間のスペースを、板状の部材（Ｍ）を上方から差し込んで立て掛けることの可能な第２開口部（Ｓ２）として更に有効に利用することができる。
【００６１】
また、第２開口部（Ｓ２）のベゼル（２０）の内周面と繋がる底面（２１Ａ）が、第２開口部（Ｓ２）を形成する回転板（３１，３２）の回転中心（３１Ａ，３２Ａ）の周りに湾曲した凹湾曲面形状とされる。
【００６２】
上記構成によれば、第２開口部（Ｓ２）に板状の部材（Ｍ）を差し込んだ状態から、回転板（３１，３２）を閉じることで、板状の部材（Ｍ）を凹湾曲面状の底面（２１Ａ）に沿って滑らせながら回転板（３１，３２）上へと倒し込むことができる。したがって、第２開口部（Ｓ２）に板状の部材（Ｍ）を差し込んだ状態からであっても、回転板（３１，３２）をつかえさせることなくスムーズに閉じることが可能となる。
【００６３】
《その他の実施形態について》
以上、本発明の実施形態を１つの実施形態を用いて説明したが、本発明は上記実施形態のほか、以下に示す様々な形態で実施することができるものである。
【００６４】
１．本発明のカップホルダは、鉄道等の自動車以外の車両や、航空機、船舶等の様々な乗物用に供されるものであっても良い。また、カップホルダは、乗物用シートに備え付けられるものの他、センタコンソール等のシート以外の乗物装備品に設けられるものであっても良い。
【００６５】
２．ホルダ部は、受入口を横並び状に２個備えるものであっても良いが、受入口が１個又は３個以上から成る構成であっても良い。ホルダ部の受入口は、前後方向に複数並んで設けられる構成であっても良い。
【００６６】
３．リッドは、観音開き状に開けられる２枚の回転板から成るものの他、１枚で開け閉めされる回転板から成るものであっても良い。また、リッドは、前後方向や左右方向にスライドして開け閉めされるスライド板から成るものであっても良い。また、リッドは、水平方向の回転によって開け閉めされる構成であっても良い。リッドの開閉方向は、ホルダ部の受入口の並ぶ方向に関係なく、どの方向に設定されていても良い。
【００６７】
４．第１開口部は、２枚の回転板のそれぞれに肉抜き部が形成されて構成されるものであっても良い。また、第１開口部の底面を成す底板部は、肉抜き部が形成された側の回転板に形成されていても良いが、肉抜き部が形成されていない側の回転板に第１開口部の底側に張り出すように形成されるものであっても良い。
【符号の説明】
【００６８】
１      カップホルダ
１０    ホルダ部
１１    受入口
１２    連通口
２０    ベゼル
２１    底板部
２１Ａ  底角面（底面）
２２    周囲側板部
２３    フランジ部
３０    リッド
３１    回転板（２枚の回転板のうちのいずれか）
３１Ａ  回転軸
３１Ｂ  肉抜き部
３１Ｃ  張出板部
３１Ｃ１  ホルダ面
３１Ｄ  底板部
３１Ｅ  トーションばね
３１Ｅ１  固定端
３１Ｅ２  可動端
３２    回転板
３２Ａ  回転軸
３２Ｂ  張出板部
３２Ｂ１  ホルダ面
３２Ｃ  サブホルダ片
３２Ｃ１  回転軸
３２Ｅ  トーションばね
３２Ｅ１  固定端
３２Ｅ２  可動端
３３    リンク機構
３３Ａ  短リンク
３３Ｂ  短リンク
３３Ｃ  長リンク
３３Ｃ１  回転軸
３３Ｃ２  回転軸
Ｓ１    第１開口部
Ｓ２    第２開口部
Ｐ１    開位置
Ｐ２    閉位置
Ｍ      電子端末（板状の部材）
Ｃ      飲物容器
１００  センタアームレスト
【図１】
2020199947.tif 000003
【図２】
2020199947.tif 000004
【図３】
2020199947.tif 000005
【図４】
2020199947.tif 000006
【図５】
2020199947.tif 000007
【図６】
2020199947.tif 000008
【図７】
2020199947.tif 000009
【図８】
2020199947.tif 000010
【図９】
2020199947.tif 000011
【図１０】
2020199947.tif 000012
【図１１】
2020199947.tif 000013
【図１２】
2020199947.tif 000014